(57)【要約】【課題】フックと一体化した厚さを確保し易い被膜構成を備えるベルト締具を提供すること。【解決手段】ベルト締具（１０１）は、ベルト（１）と、ベルト（１）の端部に取り付けられた第１フック（２）と、ベルト（１）を巻掛けることでベルト（１）の締付けを行う本体金具としての操作レバー（３）と、操作レバー（３）に直接または間接的に取り付けられた第２フック（５）と、を備える。第１フック（２）および第２フック（５）のうちの少なくとも一方のフックの表面が発泡被膜で被覆されている。【選択図】図１
2020153507.tif 000002
【特許請求の範囲】
【請求項１】
物品を所定位置に固定するためのベルト締具であって、
ベルトと、
前記ベルトの端部に取り付けられた第１フックと、
前記ベルトを巻掛けることで前記ベルトの締付けを行う本体金具と、
前記本体金具に直接または間接的に取り付けられた第２フックと、
を備えるベルト締具において、
前記第1フックおよび前記第２フックのうちの少なくとも一方のフックの表面が発泡被膜で被覆されている、ベルト締具。
【請求項２】
請求項１に記載のベルト締具において、
前記発泡被膜の厚みが０．５ｍｍ以上とされている、ベルト締具。
【請求項３】
請求項１または２に記載のベルト締具において、
前記フックのフック本体部の側面、および当該フック本体部の湾曲する外側外周面が、前記発泡被膜で被覆されている、ベルト締具。
【請求項４】
請求項３に記載のベルト締具において、
前記側面と前記外側外周面との境界部における前記発泡被膜の外周面がＲ形状とされている、ベルト締具。
【請求項５】
請求項１〜４のいずれかに記載のベルト締具において、
前記発泡被膜が独立気泡構造とされている、ベルト締具。
【請求項６】
請求項１〜５のいずれかに記載のベルト締具において、
前記本体金具の表面が、前記発泡被膜で被覆されている、ベルト締具。
【発明の詳細な説明】
【技術分野】
【０００１】
本発明は、物品を所定位置に固定するためのベルト締具に関し、特に、自動車などの積荷を船舶などの床面に固定するのに適したベルト締具に関する。
【背景技術】
【０００２】
この種の技術として、例えば特許文献１、２に記載の従来技術がある。その従来技術は、次のような技術である。
【０００３】
特許文献１には、操作レバー側のフックにおける湾曲の外側部分が合成樹脂またはゴムで被覆されたベルト締具が記載されている。この構成により、自動車の車体にフックが接触したとしても、車体をフックで傷つけることを抑制することができる。
【０００４】
また、特許文献２には、荷締具のフック部を着脱自在のフックカバーで覆うことが記載されている。この構成により、フックカバーが破損した場合には、フックカバーのみを新品と交換すれば足りるとのことである。
【先行技術文献】
【特許文献】
【０００５】
【特許文献１】実開平６−８３２７４号公報
【特許文献２】特開２００２−２１８３８号公報
【発明の概要】
【発明が解決しようとする課題】
【０００６】
しかしながら、特許文献１、２に記載の技術には、次のような問題がある。
特許文献１に記載のような合成樹脂またはゴムによるフックの被覆では、被膜厚さを確保しにくい。そのため、ベルト締具の取付作業の際に自動車の車体にフックが接触した場合、被膜によるクッション効果が低くて、車体をフックで傷つけてしまう懸念がある。
【０００７】
一方、特許文献２に記載のフックカバーでフック部を覆う方法は、フックカバーが別部材であるため、フックカバーをフック部に取り付ける作業が手間であり、加えて、特許文献１に記載の合成樹脂またはゴムによるようなフックと一体化した被覆に比べて材料コストがかかる。
【０００８】
本発明は、上記事情に鑑みてなされたものであって、その目的は、フックと一体化した厚さを確保し易い被膜構成を備えるベルト締具を提供することである。
【課題を解決するための手段】
【０００９】
本発明は、物品を所定位置に固定するためのベルト締具であって、ベルトと、前記ベルトの端部に取り付けられた第１フックと、前記ベルトを巻掛けることで前記ベルトの締付けを行う本体金具と、前記本体金具に直接または間接的に取り付けられた第２フックと、を備えるベルト締具において、前記第１フックおよび前記第２フックのうちの少なくとも一方のフックの表面が発泡被膜で被覆されていることを特徴とする。
【００１０】
本発明のベルト締具は、次のような作用効果を有する。
発泡被膜は、「発泡」という特性上、その厚みを確保し易い。また、フックの表面が発泡被膜で被覆されることで、フックと発泡被膜とは一体化する。この発泡被膜が有するクッション効果により、被固定物である物品にフックが接触した場合に、当該物品をフックで傷つけることを抑制することができる。
【００１１】
本発明において、前記発泡被膜の厚みが０．５ｍｍ以上とされていることが好ましい。
この構成によると、発泡被膜が有するクッション効果が高まり、物品をフックで傷つけることをより抑制することができる。
【００１２】
また本発明において、前記フックのフック本体部の側面、および当該フック本体部の湾曲する外側外周面が、前記発泡被膜で被覆されていることが好ましい。
上記側面、および上記外側外周面は、ベルト締具の取付作業の際に、物品に接触しやすい部分であるので、これらの面を優先的に発泡被膜で被覆することが好ましい。
【００１３】
また本発明において、前記側面と前記外側外周面との境界部における前記発泡被膜の外周面がＲ形状とされていることが好ましい。
Ｒ形状とされていることで、発泡被膜が剥がれにくくなる。また、フック本体部の角部をＲ面取り加工する必要がなくなるので、フック製造に関するコストを低減することが可能となる。
【００１４】
また本発明において、前記発泡被膜が独立気泡構造とされていることが好ましい。
この構成によると、発泡被膜が連続気泡構造とされている場合に比べて発泡被膜の気泡が潰れにくく、反発力が高い発泡被膜となる。そのため、フックが物品に接触したときに、発泡被膜の潰れにくく反発力が高い効果により物品がより傷つきにくい。また、連続気泡構造の場合よりも発泡被膜の内部に水などが入り込みにくいため、フックが金属製の場合には、フックが錆びることを抑制することができる。
【００１５】
また本発明において、前記本体金具の表面が、前記発泡被膜で被覆されていることが好ましい。
この構成によると、物品の傷つけ抑制効果などの前記効果と同様の効果が、本体金具に関しても得られる。また、ベルト締具を落下させた場合に、本体金具を発泡被膜で保護できるという効果も得られる。
【発明の効果】
【００１６】
本発明によれば、フックと一体化した厚さを確保し易い被膜構成を備えるベルト締具を提供することができる。
【図面の簡単な説明】
【００１７】
【図１】本発明の第１実施形態に係るベルト締具の側面図である。
【図２】図１に示すベルト締具の平面図である。
【図３Ａ】図１の第１フック部分の拡大図である。
【図３Ｂ】図２の第１フック部分の拡大図である。
【図４】図１〜図３Ｂに示す第１フック（発泡被膜で被覆されてなるフック）の６面図である。
【図５】本発明の第２実施形態に係るベルト締具の側面図である。
【図６】図５に示す第１フック（発泡被膜で被覆されてなるフック）の６面図である。
【発明を実施するための形態】
【００１８】
以下、本発明を実施するための形態について図面を参照しつつ説明する。以下で説明する実施形態は、船舶内の床面の所定位置に自動車（物品）を固定するのに用いられるベルト締具に本発明を適用した一例であるが、本発明に係るベルト締具は、自動車などの積荷を船舶などの床面に固定する用途に限られることはなく、様々な物品を所定位置に固定するためのベルト締具として広く用いることができるものである。
【００１９】
図１〜４を参照しつつ本発明の第１実施形態に係るベルト締具１０１について説明する。ベルト締具１０１は、ベルト１と、ベルト１の端部に取り付けられた第１フック２と、回動させることでベルト１の締付けを行う、本体金具としての操作レバー３と、操作レバー３に取り付けられたフック取付具４と、フック取付具４に取り付けられた第２フック５とを備えている。
【００２０】
上記操作レバー３は、操作レバー３を回動させる際に作業者により把持される把持部８と、把持部８の端部に設けられフック取付具４の内側にその一部が互いに並行配置された一対の側壁部９を有している。上記把持部８は、作業者が操作レバー３を回動する際に力を作用させやすくするため、一対の側壁部９を連結している一方の端部に対して他方の端部がやや傾斜した形状にされている。一対の側壁部９間には、ベルト１が巻掛けられる巻掛け部１０が架設されている。また、一対の側壁部９には、その外側に位置する平面視Ｖ字形状のフック取付具４がピン１３にて連結され、これにより操作レバー３はピン１３まわりに回動自在となっている。
【００２１】
上記巻掛け部１０は、第１バー１１および第２バー１２を有する。これら第１バー１１および第２バー１２は、側壁部９に形成されたスリット９ａに挿入されている。第１バー１１は、スリット９ａの把持部８側の端部に挿入された状態でその両端部がかしめられて、側壁部９に固定されている。一方、第２バー１２は、スリット９ａに沿って第１バー１１に対して離接する方向に移動可能とされている。
【００２２】
第１フック２、第２フック５、フック取付具４、および操作レバー３は、例えば鋼材などの金属材料で形成される。
【００２３】
ここで、各図中に斜線のハッチングで示すように、本実施形態の第１フック２は、その表面全体が発泡被膜１４で被覆されている。発泡被膜の形成方法は、例えば次の通りである。
【００２４】
まず、第１フック２に電着塗装（下地塗装）を施す（下地処理工程）。その後、電着塗装が施された第１フック２を炉に入れて、例えば３００℃程度で第１フック２を加熱する（加熱工程）。なお、上記下地処理工程は省略されてもよい。
【００２５】
一方で、発泡体と合成樹脂とを混練してなる発泡紛体を槽（浸漬処理槽）に入れ、槽の下部より不活性ガスを圧力をかけて槽内に注入し、その圧力で発泡紛体を均一に浮かして槽内に発泡紛体の流動層を形成する（流動層形成工程）。
【００２６】
そして、上記加熱工程にて加熱した第１フック２を熱いまま上記流動層に浸漬させ、第１フック２の有する熱で上記発泡紛体を第１フック２の表面に溶着させる（被覆工程）。これにより、第１フック２の表面全体が発泡被膜１４で被覆される。
【００２７】
第１フック２に電着塗装（下地塗装）を施すことで、第１フック２と発泡被膜との間の接着性が向上する。また、第１フック２に電着塗装（下地塗装）を施すこと、およびその後の上記被覆工程により、第１フック２の表面と発泡被膜１４との間に下地塗装層としての電着塗装層が形成された状態となり、第１フック２が金属製の場合には、この電着塗装層（下地塗装層）の存在により、第１フック２の錆発生が抑制される。
【００２８】
上記の実施形態では、発泡体と合成樹脂とを混練してなる発泡紛体を第１フック２の表面に溶着させている。発泡体に合成樹脂を混ぜることで、第１フック２の表面に発泡体のみを塗布して被覆する場合よりも高い接着効果が得られる。
【００２９】
なお、上記の発泡被膜１４は独立気泡構造とされることが好ましい。独立気泡構造の発泡被膜１４は、連続気泡構造の発泡被膜よりも気泡が潰れにくく、反発力が高い。そのため、第１フック２が自動車のボディーに接触したときに、発泡被膜１４の潰れにくく反発力が高い効果により自動車のボディーがより傷つきにくい。また、連続気泡構造の場合よりも発泡被膜の内部に水などが入り込みにくいため、第１フック２が金属製の場合には、第１フック２が錆びることを抑制することができる。
【００３０】
発泡紛体を構成する上記発泡体は、例えば、発泡ポリエチレン、発泡ウレタンなどである。また、発泡紛体を構成する上記合成樹脂は、例えば、ナイロン、ポリエチレン、塩化ビニルなどである。
【００３１】
クッション効果を高めるために、発泡被膜１４の厚みは、０．５ｍｍ以上とされることが好ましい。なお、製造性などの観点から、発泡被膜１４の厚みの上限は、５．０ｍｍである。発泡被膜１４の硬度は、デュロメータ硬さ（タイプＡ）で６０〜７０であることが好ましい。
【００３２】
なお、図４は、図１〜図３Ｂに示す第１フック２（発泡被膜で被覆されてなるフック）の６面図である。図４中の破線（隠れ線）は、発泡被膜１４の内部の第１フック２を示す線であり、発泡被膜で被覆されてなるフックの外観には表れない。また、図４中の斜線のハッチングは、第１フック２が発泡被膜１４で被覆されていることを示すためのものであり、この斜線のハッチングも外観には表れない。第１フック２（発泡被膜で被覆されてなるフック）は、例えば自動車などの物品にかけられて、当該物品を所定位置に固定するのに用いられる物品固定用フックである。所定位置に固定する固定対象は、自動車に限定されることはない。
【００３３】
ベルト締具１０１を用いた自動車の固定作業は、例えば次の通りである。
【００３４】
操作レバー３側の第２フック５を船舶内の床面に設けられた固定用金具にかけるとともに、ベルト１の端部に取り付けられた第１フック２を自動車に設けられた固定用金具にかける。このとき、操作レバー３は、第２フック５側に倒れた（回動した）状態とされる。そして、第１フック２が取り付けられていない側のベルト１の端部１ａを引っ張り、ベルト１が張った状態にする。次に、操作レバー３を、第２フック５側から第１フック２側へ向けてピン１３まわりに回動させる。すると、第２バー１２にベルト１が巻掛けられながら、第１バー１１および第２バー１２が巻締め方向に移動して、ベルト１が締め付けられていく。このとき、ベルト１に生じた張力により、第２バー１２がスリット９ａに沿って第１バー１１に接近する方向に移動し、第１バー１１と第２バー１２との間でベルト１が強固に挟持され、ベルト１は堅く巻締められる。これにより、自動車は、ベルト締具１０１を介して船舶内の床面に固定される。なお、自動車１台当たり、例えば、４本のベルト締具１０１が用いられる。
【００３５】
ここで、上記の固定作業において、自動車のボディーに第１フック２（発泡被膜１４で被覆されてなる第１フック２）が接触したとしても、第１フック２の表面が発泡被膜１４で被覆されているので、発泡被膜１４がクッションとなり自動車のボディーが傷つくことは抑制される。この発泡被膜１４は、「発泡」という特性上、その厚みを確保し易い。被膜が厚いとクッション効果が高く、合成樹脂によるフックのコーティングといった従来の被覆よりも、発泡被膜１４による被覆の方が傷つけ抑制効果において優れる。
【００３６】
図３Ａおよび図３Ｂに符号を付して示すように、フック本体部６とベルト取付部７を有する第１フック２において、上記の固定作業にて、自動車のボディーなどに接触しやすい部分は、フック本体部６の側面６ａ、およびフック本体部６の湾曲する外側外周面６ｂである。そのため、少なくともこれらの面が発泡被膜１４で被覆されていることが好ましい（後述する第２実施形態参照）。
【００３７】
図３Ｂに符号を付して示すように、本実施形態では、フック本体部６の上記側面６ａと上記外側外周面６ｂとの境界部における発泡被膜１４の外周面１４ｃがＲ形状（外側へ凸の湾曲した形状、Ｒ面）とされている（後述する第２実施形態においても同様）。これによると、フック角部の発泡被膜１４が剥がれにくくなる。また、フック角部の発泡被膜１４が剥がれると、その剥がれた箇所から発泡被膜１４の剥がれが周囲に伝播していくことが懸念されるところ、フック角部の発泡被膜１４が剥がれにくいことで、このような剥がれの伝播も防止される。さらには、第１フック２のフック本体部６の角部をＲ面取り加工する必要がなくなるので、第１フック製造に関するコストを低減することが可能となる。
【００３８】
なお、上記境界部における発泡被膜１４の外周面１４ｃをＲ形状とするには、第１フック２を熱いまま流動層に浸漬させる前記被覆工程において、第１フック２を単に流動層に浸漬させることでも可能であるが、Ｒ面（凹形状の湾曲面）を有する型を第１フック２との間に所定の間隔をあけて第１フック２に取り付け、この型とともに第１フック２を流動層に浸漬させることが好ましい。これによると、より整ったＲ形状の発泡被膜１４を得ることができる。
【００３９】
第１フック２、第２フック５、フック取付具４、および操作レバー３は、鋼材などの金属材料で形成されることが多い。そのため、ベルト締具１０１は、操作レバー３側の方が重くなる。よって、作業者は、一般的に、操作レバー３側を手で持ってベルト締具１０１を運ぶ。このとき、操作レバー３側とは反対側のベルト端部に取り付けられた第１フック２がぶらぶらと揺れ動いてしまうので、この第１フック２が自動車のボディーに接触し易い。そのため、特に、第１フック２の表面を発泡被膜１４で被覆して、第１フック２に十分なクッション性を持たせておくことが好ましい。
【００４０】
なお、第１フック２に加えて、第２フック５、フック取付具４、および操作レバー３の表面が、発泡被膜１４で被覆されていてもよい。第２フック５、フック取付具４、および操作レバー３の表面が、発泡被膜１４で被覆されていると、第１フック２に加えて、これら部品で自動車のボディーを傷つけることを抑制することができる効果が得られる他、ベルト締具１０１を床面などに誤って落下させた場合に、各部品を発泡被膜１４で保護できるという効果が得られる。
【００４１】
また、場合によっては、第１フック２ではなく第２フック５を物品に取り付ける可能性もある。この場合は、第１フック２の表面ではなく、第２フック５の表面が発泡被膜１４で被覆されることが好ましい。
【００４２】
図５、６は、本発明の第２実施形態を示す。
図５に示すベルト締具１０２と図１、２に示すベルト締具１０１との相違点は、第１フック２の発泡被膜１４の範囲である。図５に示すベルト締具１０２を構成する第１フック２は、フック本体部６の側面６ａ、およびフック本体部６の湾曲する外側外周面６ｂのみが発泡被膜１４で被覆されており、フック本体部６の内側内周面やベルト取付部７は発泡被膜１４で被覆されていない。なお、フック本体部６の上記側面６ａと外側外周面６ｂとの境界部における発泡被膜１４の外周面１４ｃはＲ形状（外側へ凸の湾曲した形状、Ｒ面）とされている。
【００４３】
なお、図６は、図５に示す第１フック２（発泡被膜で被覆されてなるフック）の６面図である。図６中の破線（隠れ線）は、発泡被膜１４の内部の第１フック２を示す線であり、発泡被膜で被覆されてなるフックの外観には表れない。また、図６中の斜線のハッチングは、第１フック２が発泡被膜１４で被覆されていることを示すためのものであり、この斜線のハッチングも外観には表れない。第１フック２（発泡被膜で被覆されてなるフック）は、例えば自動車などの物品にかけられて、当該物品を所定位置に固定するのに用いられる物品固定用フックである。所定位置に固定する固定対象は、自動車に限定されることはない。
【００４４】
上記の実施形態は次のように変更可能である。
第１実施形態では、第１フック２の表面全体が発泡被膜１４で被覆されている。また第２実施形態では、第１フック２のフック本体部６の側面６ａ、およびフック本体部６の湾曲する外側外周面６ｂのみが発泡被膜１４で被覆されている。これらに代えて、ベルト取付部７は被覆されず、第１フック２のフック本体部６のみの表面全体が発泡被膜で被覆されてもよい。
【００４５】
上記実施形態では、ベルト締具１０１、１０２の本体金具（ベルトを巻掛けることでベルトの締付けを行う本体金具）として操作レバー３が用いられている。操作レバー３のようなレバー式の本体金具に代えて、ラチェット式の本体金具が用いられてもよい。
【００４６】
上記実施形態では、操作レバー３にフック取付具４を介して第２フック５が取り付けられているが、操作レバー３に第２フック５が直接取り付けられてもよい。また、操作レバー３にベルトを介して第２フック５が取り付けられてもよい。さらには、操作レバー３にベルトおよびフック取付具を介して第２フック５が取り付けられてもよい。すなわち、第２フックは本体金具に直接または間接的に取り付けられる。
【００４７】
第１フック２の表面全体を発泡被膜１４で被覆したり、第１フック２のフック本体部６の側面６ａなど第１フック２の一部のみを発泡被膜１４で被覆したりする、第１フック２の被覆に関する様々な上記実施形態は、第２フック５についても同様に適用することができる。
【００４８】
以上、本発明の実施形態について説明した。なお、その他に、当業者が想定できる範囲で種々の変更を行うことは勿論可能である。
【符号の説明】
【００４９】
１：ベルト
２：第１フック（フック）
３：操作レバー（本体金具）
５：第２フック（フック）
６：フック本体部
６ａ：側面
６ｂ：外側外周面
７：ベルト取付部
１０：巻掛け部
１４：発泡被膜
１４ｃ：外周面
１０１、１０２：ベルト締具
【図１】
2020153507.tif 000003
【図２】
2020153507.tif 000004
【図３Ａ】
2020153507.tif 000005
【図３Ｂ】
2020153507.tif 000006
【図４】
2020153507.tif 000007
【図５】
2020153507.tif 000008
【図６】
2020153507.tif 000009